(57)【要約】〔課題〕従来のコンクリート人工漁礁による藻場造成は、価格の高いコンクリートを用い、かつ台船を用いるためコストだかであり、かつ、水素イオン濃度が高く海藻類が付着しにくく、２年目以降原生動物、貝類なとに覆われて海藻が育つ条件が激減するなど藻場造成効果が充分でなかった。〔解決手段〕  すでに、海中に設置している藻場造成コンクリート人工漁礁で藻場造成効果が十分でないものに対してプラスチック人工芝型藻礁板を貼り付け固定し、少ない予算で藻場造成ができる。また  プラスチック人工芝型藻礁板を最初から用いると、コンクリートをまったく使用することなく小型漁船で、海底または海底から離して固定できるので、藻場造成コストが極めて安くつき、公共事業として適している。【選択図】                図２
2005013201.tif 000002
【特許請求の範囲】
【請求項１】
市販の空隙が多いソフトなプラスチック人工芝１を連結して四隅に結索用の穴があいた平面体２をつくり、その連結縁を脱落しないようにビニール被覆針金３・インシュロック４などで固定したプラスチック人工芝型藻礁板５又は最初からプラスチック人工芝型藻礁板をつくる。
【請求項２】
プラスチック人工芝型藻礁板の柔軟性を利用して、新規又はすでに海中に敷設した円筒型コンクリートブロック６、三角錐型コンクリートブロック７、テトラポット型コンクリートブロック８などに貼り付け固定９することによって既存のコンクリート人工漁礁の活性化をはかる。
【請求項３】
プラスチック人工芝型藻礁板を新規の人工漁礁に用いて藻場造成効果をあげるとともに、着脱が比較的容易な構造体の性質を利用して新しいプラスチック人工芝型藻礁板と交換し、古いものを高圧洗浄して繰り返し再利用する。
【請求項４】
プラスチック人工芝型藻礁板の空隙にインシュロックによる止めリング９を設け、海藻種苗糸１０、海藻種苗付着フイルム１１、肥料入りネット１２をいれ、藻場造成の条件を容易にする。
【請求項５】
平面状に連結したプラスチック人工芝型藻礁板１３を固定するために四隅に設けられた穴１４に先の尖った鉄筋１５を貫き通し、海底に固定し１６あるいは、海底から上げて固定する１７ことによって、コンクリート基盤無しに藻場造成を行うことができる。
【請求項５】
平面状に連結固定したプラスチック人工芝型藻礁板にアマモなとの海草１８の根元が入る穴１９を一定間隔であけ、これに水耕栽培スポンジ２０を挿入し海砂２１肥料２２などを入れ請求項４の要領で藻場造成を行う。
【発明の詳細な説明】
【０００１】
〔発明の属する技術分野〕
本発明は、プラスチック人工芝型藻礁板を用いて、藻場造成を効率的に行う栽培漁業技術に関する。
【０００２】
〔従来の技術〕
従来のコンクリート人工漁礁による藻場造成では、水素イオン濃度が高く、付着面が硬く、藻場造成に十分な効果が期待できなく藻場造成上の問題点があった。
【０００３】
〔発明が解決しようとする課題〕
従来のコンクリート人工漁礁による藻場造成は、水素イオン濃度が高く海藻類が付着しにくく、かつ、２年目以降原生動物、貝類などに覆われて海藻が育つ条件が激減するなと藻場造成効果は充分でなかった。
【０００４】
本発明はコンクリート人工漁礁の価格が高く、かつ、台船を用いるなどコストが高いことを改善しようとするものである。
【０００５】
これまで海に設置されたコンクリート人工漁礁、テトラポットなど海藻の育たなくなったコンクリート藻場造成漁場が全国に沢山ある。
【０００６】
アマモなとの海草藻場の人工造成は海砂・泥・栄養塩・環境ホルモン・農薬・洗剤等の環境条件のほか、種苗生産なと困難性を伴うが、これを改善する心要がある。
【０００７】
これまでの藻場造成は、３０年以上の耐用年数があり、台風・暴風に耐えうる資材として、これまで、コンクリート鉄骨資材が中心であったが、あまり効果を挙げていない３０年余の実績があり、水産基本法（平成１３年成立）に基づく「水産基本計画」（平成１４年３月２６日決定）でも海藻資源は増えない。したがってこの現状を改善する新しい技術が要求されている。
【０００８】
〔課題を解決するための手段〕
上記目的を達成するために従来のコンクリート人工漁礁による藻場造成に変わり、透水性があり、かつ、水素イオン濃度が中性で海藻類が付着しやすいプラスチック人工芝を用いる。また、２年目以降原生動物、貝類なとに覆われて海藻が育つ条件が激減するなと藻場造成効果を挙げる方法を資材交換で克服する。
【０００９】
本発明はコンクリート人工漁礁の価格が高く、かつ、台船を用いるなとコストが高かったことから、コンクリートを使用しない。
【００１０】
これまで海に設置されたコンクリート人工漁礁、テトラポットなど海藻の育たなくなったコンクリート資材を活用して海藻の育つ人工漁礁に再利用する。
【００１１】
アマモなどの海草藻場の人工造成は海砂・泥・栄養塩・環境ホルモン・農薬・洗剤等の環境条件のほか、種苗生産など困難であるが、この１部でも改善する。
【００１２】
これまでの藻場造成は、コンクリート鉄骨資材が中心であったが、あまり効果を挙げていない実績があり、したがってこの現状を改善する新しい技術のひとつとしてプラスチック人工芝の利用を考えた。しかし、小型人工芝ではなく、最初から大型プラスチック人工芝型人工漁礁板を生産する心要がある。
【００１３】
〔発明の実施の形態〕
発明の実施の形態を実施例に基づいて説明する。  図−１において、市販の空隙が多いソフトなプラスチック人工芝１を連結して四隅に結索用の穴があいた平面体２をつくり、その連結縁を脱落しないようにビニール被覆針金３・インシュロック４などで固定したプラスチック人工芝型藻礁板５、または、最初からプラスチック人工芝型藻漁礁板をつくる。
【００１４】
図−２において、プラスチック人工芝型藻礁板の桑軟性を利用して、新規又はすでに海中に敷設した円筒型コンクリートブロック６、三角錐型コンクリートブロック７、テトラポット型コンクリートブロック８なとに貼り付け固定することによって既存のコンクリート人工漁礁の活性化をはかる。
【００１５】
プラスチック人工芝型藻礁板を新規の人工漁礁に用いて藻場造成効果をあげるとともに、着脱が比較的容易な構造体の性質を利用して新しいプラスチック人工芝型藻礁板と交換し、古いものを高圧洗浄して繰り返し再利用する。
【００１６】
図−３において、プラスチック人工芝型藻礁板の空隙にインシュロックによる止めリング９を設け、海藻種苗糸１０、海藻種苗付着フイルム１１、肥料入りネット１２をいれ、藻場造成の条件を容易にする。
【００１７】
平面状に連結したプラスチック人工芝型藻礁板１３を固定するために四隅に設けられた穴１４に先の尖った鉄筋１５を貫き通し、海底に固定し１６あるいは、海底から上げて固定する１７ことによって、コンクリート基盤無しに藻場造成を行うことができる。
【００１８】
図−４において、プラスチック人工芝型藻礁板にアマモなどの海草１８の根元が入る穴１９を一定間隔であけ、これに水耕栽培スポンジ２０を挿入し海砂２１肥料２２などを入れ藻場造成を行う。
【００１９】
〔発明の効果〕
本発明は、以上説明したように構成されているので、以下に記載されるような効果を奏する
すでに、海中に設置している藻場造成コンクリート人工漁礁で藻場造成効果が十分でないものに対してプラスチック人工芝型藻礁板を貼り付け固定し、少ない予算で藻場造成ができる。
【００２０】
プラスチック人工芝型藻礁板を最初から用いると、コンクリートをまったく使用することなく小型漁船で、海底または海底から離して固定できるので、藻場造成コストが極めて安くつき、公共事業として適している。
【００２１】
着脱自由なこのプラスチック人工芝型藻礁板を用いることによって、原生動物、貝類などが付着して海藻が十分生えなくなった際、新しいものと交換して海藻付着効果を増大させるとともに、使ったものは洗浄手入れして再使用し、最後はリサイクル素材として用いる。
【図面の簡単な説明】
【図１】ソフトプラスチック人工芝を連結固定してプラスチック人工芝型藻漁礁板をつくる。
【図２】プラスチック人工芝型藻礁板を既存のコンクリートブロックに貼り付け固定する。
【図３】プラスチック人工芝型藻礁板の止めリングに海藻種苗糸および海草種苗付着フイルムをつけて藻場造成条件を容易にする。
【図４】プラスチック人工芝型藻礁板をコンクリートを使わず鉄筋を打ち込み張り付け固定するとともに、アマモなど海草栽培穴を作り、海砂・肥料を入れて藻場造成する。
【符号の説明】
１．プラスチック人工芝
２．結索用の穴が開いた平面体
３．ビニール被覆針金
４．インシュロック
５．プラスチック人工芝型藻礁板
６．円筒型コンクリートブロック
７．三角錐型コンクリートブロック
８．テトラポット型コンクリートブロック
９．止めリング．
１０．海藻種苗糸
１１．海藻種苗付着フイルム
１２．肥料入りネット
１３．平面状に連結したプラスチック人工芝型藻礁板
１４．四隅に設けられた穴
１５．先の尖った鉄筋
１６．海底に固定
１７．海底から上げて固定
１８．アマモなどの海草
１９．根元が入る穴
２０．水耕栽培スポンジ
２１．海砂
２２．肥料
【図１】
2005013201.tif 000003
【図２】
2005013201.tif 000004
【図３】
2005013201.tif 000005
【図４】
2005013201.tif 000006
【手続補正書】
【提出日】平成15年9月9日(2003.9.9)
【手続補正１】
【補正対象書類名】明細書
【補正対象項目名】特許請求の範囲
【補正方法】変更
【補正の内容】
【特許請求の範囲】
【請求項１】
市販の空隙が多いソフトなプラスチック人工芝１を連結して四隅に結索用の穴があいた平面体２をつくり、その連結縁を脱落しないようにビニール被覆針金３・インシュロック４なとで固定したプラスチック人工芝型藻礁板５又は最初からプラスチック人工芝型藻礁板をつくる。
【請求項２】
プラスチック人工芝型藻礁板の柔軟性を利用して、新規又はすでに海中に敷設した円筒型コンクリートブロック６、三角錐型コンクリートブロック７、テトラポット型コンクリートブロック８などに貼り付け固定９することによって既存のコンクリート人工漁礁の活性化をはかる。
【請求項３】
プラスチック人工芝型藻礁板を新規の人工漁礁に用いて藻場造成効果をあげるとともに、着脱が比較的容易な構造体の性質を利用して新しいプラスチック人工芝型藻礁板と交換し、古いものを高圧洗浄して繰り返し再利用する。
【請求項４】
プラスチック人工芝型藻礁板の空隙にインシュロックによる止めリング９を設け、海藻種苗糸１０、海藻種苗付着フイルム１１、肥料入りネット１２をいれ、藻場造成の条件を容易にする。
【請求項５】
平面状に連結したプラスチック人工芝型藻礁板１３を固定するために四隅に設けられた穴１４に先の尖った鉄筋１５を貫き通し、海底に固定し１６あるいは、海底から上げて固定する１７ことによって、コンクリート基盤無しに藻場造成を行うことができる。
【請求項６】
平面状に連結固定したプラスチック人工芝型藻礁板にアマモなどの海草１８の根元が入る穴１９を一定間隔であけ、これに水耕栽培スポンジ２０を挿入し海砂２１肥料２２などを入れ請求項４の要領で藻場造成を行う。